Podtech/llm-jp-corpus-v4-ja_patent huggingface dataset:
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
電子ベイピング装置のカートリッジであって、
プレベイパー製剤を貯蔵するように構成された貯蔵部と、
前記プレベイパー製剤を加熱するように構成された発熱体であって、前記発熱体が、
第一の端および第二の端を有する金属管であって、前記金属管がそれを通る開口部を画定し、
前記金属管の一部分に沿って実質的に連続的に延在する少なくとも一つの螺旋チャネルを画定する側壁を含む、金属管と、を含む、カートリッジ。
【請求項２】
前記螺旋チャネルが、前記金属管の前記第一の端から約０．５ミリメートル〜約１．０ミリメートルの位置で開始する、請求項１に記載のカートリッジ。
【請求項３】
前記螺旋チャネルが、前記金属管の前記第一の端および前記金属管の前記第二の端のうちのいずれか一つから約０．５ミリメートル〜約１．０ミリメートルの位置で終端する、請求項１または２に記載のカートリッジ。
【請求項４】
前記螺旋チャネルが、前記金属管の周囲に約２〜約２０の回転を含む、請求項１、２または３に記載のカートリッジ。
【請求項５】
各回転が、隣接する回転から約０．０５ミリメートル〜約０．２５ミリメートル離間する、請求項４に記載のカートリッジ。
【請求項６】
各回転が、隣接する回転から等間隔に離間する、請求項４または５に記載のカートリッジ。
【請求項７】
各回転が、隣接する回転から不均等な間隔で離間する、請求項４または５に記載のカートリッジ。
【請求項８】
前記螺旋チャネルが、約０．１ミリメートル〜約０．５ミリメートルの範囲の幅を有する、請求項１〜７のいずれかに記載のカートリッジ。
【請求項９】
前記金属管が、約３．０ミリメートル〜約６．０ミリメートルの範囲の長さを有する、請求項１〜８のいずれかに記載のカートリッジ。
【請求項１０】
前記螺旋チャネルが、前記金属管の長さの約２．０ミリメートル〜約３．５ミリメートルに沿って延在し、前記金属管の前記長さの約０．７５ミリメートル〜約２．０ミリメートルが前記螺旋チャネルを含まず、
好ましくは、前記金属管が、約０．１ミリメートル〜約４．０ミリメートルの範囲の内径を有する、請求項１〜９のいずれかに記載のカートリッジ。
【請求項１１】
前記金属管が、約０．０５ミリメートル〜約０．２５ミリメートルの範囲の厚さを有する、請求項１〜１０のいずれかに記載のカートリッジ。
【請求項１２】
前記金属管の前記開口部を貫通する芯をさらに含み、その結果、前記金属管が前記芯の少なくとも一部分を囲む、請求項１〜１１のいずれかに記載のカートリッジ。
【請求項１３】
前記金属管の少なくとも一部分を少なくとも部分的に囲む芯をさらに含む、請求項１〜１２のいずれかに記載のカートリッジ。
【請求項１４】
前記発熱体が、約２．５オーム〜約４．５オームの範囲の抵抗を有し、
好ましくは、前記金属管が、ステンレス鋼およびニクロムのうちの少なくとも一つから形成される、請求項１〜１３のいずれかに記載のカートリッジ。
【請求項１５】
前記螺旋チャネルは、前記側壁にレーザーエッチングされ又は切削されたものである、請求項１〜１４のいずれかに記載のカートリッジ。
【請求項１６】
電子ベイピング装置であって、
請求項１〜１５のいずれかに記載のカートリッジと、
前記カートリッジの前記発熱体に電力を供給するように構成された電源と、を備える、電子ベイピング装置。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
冠血流予備量比値を決定する生物物理学シミュレーターを含む、コンピュータ実行可能命令を含む、コンピュータ可読記憶媒体と、
スペクトルボリュメトリック画像データを使用して前記冠血流予備量比値を決定するために機械学習を使用する前記生物物理学シミュレーターを実行するプロセッサと、
決定された前記冠血流予備量比値を表示するディスプレイと、
を備える、システム。
【請求項２】
前記生物物理学シミュレーターが、前記スペクトルボリュメトリック画像データから特徴を抽出する特徴抽出コンポーネントを含み、抽出された前記特徴が、スペクトル強調された解剖学的特徴と、スペクトル強調されたプラークの形態的及び機能的特徴と、スペクトル強調された生理学的特徴とのうちの少なくとも１つを含む、
請求項１に記載のシステム。
【請求項３】
スペクトル強調された前記解剖学的特徴が、幾何学的及びトポロジー的特徴を含む、
請求項２に記載のシステム。
【請求項４】
前記特徴抽出コンポーネントが、異なるスペクトル画像を使用して抽出された前記解剖学的特徴を強調して、冠動脈ツリー解剖学的構造の異なる解剖学的組織の存在を決定する、
請求項３に記載のシステム。
【請求項５】
前記特徴抽出コンポーネントが、異なる単一エネルギー画像を使用して、抽出された前記解剖学的特徴を強調して、冠動脈ツリー解剖学的構造の異なる解剖学的組織間の境界を見つける、
請求項３又は４に記載のシステム。
【請求項６】
前記特徴抽出コンポーネントが、スペクトル的に可能にされた正則化を使用して、抽出された前記解剖学的特徴を強調する、
請求項３から５のいずれか一項に記載のシステム。
【請求項７】
前記特徴抽出コンポーネントが、前記スペクトルボリュメトリック画像データを使用して検出すること、セグメント分けすること、及び、分類することにより、スペクトル的形態的特徴を抽出する、
請求項２から６のいずれか一項に記載のシステム。
【請求項８】
スペクトル強調された前記生理学的特徴が、冠血流に関係した量を含む、
請求項２から６のいずれか一項に記載のシステム。
【請求項９】
スペクトル強調された前記生理学的特徴が、スペクトル心筋欠損又はスペクトル側副流のうちの１つ又は複数を含む、
請求項８に記載のシステム。
【請求項１０】
前記生物物理学シミュレーターは、ＦＦＲ値に、前記特徴抽出コンポーネントにより抽出されたスペクトル特徴をマッピングする、機械学習エンジンをさらに含む、
請求項２から９のいずれか一項に記載のシステム。
【請求項１１】
前記機械学習エンジンが、所定の位置を説明する特徴に関数を適用することにより、冠動脈ツリーの前記所定の位置におけるＦＦＲ値を推定する、
請求項１０に記載のシステム。
【請求項１２】
前記関数が、前記特徴と前記ＦＦＲ値との間の統計的関係を記述する、
請求項１１に記載のシステム。
【請求項１３】
プロセッサにより実行されると、前記プロセッサに、
スペクトルボリュメトリック画像データを受信することと、
冠血流予備量比指数を決定するように機械学習エンジンを使用して前記スペクトルボリュメトリック画像データを処理することと、
前記冠血流予備量比指数を視覚的に提示することと、
を行わせる、コンピュータ実行可能命令を含む、コンピュータ可読媒体。
【請求項１４】
前記機械学習エンジンが、ＦＦＲ値に、前記スペクトルボリュメトリック画像データから抽出されたスペクトル特徴をマッピングする、
請求項１３に記載のコンピュータ可読媒体。
【請求項１５】
前記機械学習エンジンが、所定の位置を説明する特徴に関数を適用することにより、冠動脈ツリーの前記所定の位置におけるＦＦＲ値を推定する、
請求項１４に記載のコンピュータ可読媒体。
【請求項１６】
前記関数が、前記特徴と前記ＦＦＲ値との間の統計的関係を記述する、
請求項１５に記載のコンピュータ可読媒体。
【請求項１７】
前記機械学習エンジンが、前記スペクトルボリュメトリック画像データから冠動脈管腔をセグメント分けする、
請求項１３に記載のコンピュータ可読媒体。
【請求項１８】
前記機械学習エンジンが、セグメント分けのためにプロトタイプ全体集合からプロトタイプの部分集合を選択及び使用する、
請求項１７に記載のコンピュータ可読媒体。
【請求項１９】
前記機械学習エンジンが、エネルギー最小化アルゴリズムを介して前記部分集合を選択する、
請求項１８に記載のコンピュータ可読媒体。
【請求項２０】
前記部分集合が、冠動脈管腔全体を集合的に表す最小数のプロトタイプを含む、
請求項１８又は１９に記載のコンピュータ可読媒体。
【請求項２１】
前記プロトタイプ全体集合は、プロトタイプが他の分類からの多くの近接したプロトタイプを有するとき、前記プロトタイプが高い値を有するように、及び、プロトタイプが前記プロトタイプ自体の分類からの多くの近接したプロトタイプを有するとき、低い値を有するように、ランク付けされる、
請求項１８から２０のいずれか一項に記載のコンピュータ可読媒体。
【請求項２２】
スペクトルボリュメトリック画像データを受信するステップと、
冠血流予備量比指数を決定するように機械学習エンジンを使用して前記スペクトルボリュメトリック画像データを処理するステップと、
前記冠血流予備量比指数を視覚的に提示するステップと、
を有する、方法。
【請求項２３】
前記機械学習エンジンが、ＦＦＲ値に、前記スペクトルボリュメトリック画像データから抽出されたスペクトル特徴をマッピングする、
請求項２２に記載の方法。
【請求項２４】
前記機械学習エンジンが、所定の位置を説明する特徴に関数を適用することにより、冠動脈ツリーの前記所定の位置におけるＦＦＲ値を推定する、
請求項２３に記載の方法。
【請求項２５】
前記関数が、前記特徴と前記ＦＦＲ値との間の統計的関係を記述する、
請求項２４に記載の方法。
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
ゲノム改変された生物活性腎細胞（BRC）を作製する方法であって、BRCの少なくとも１つのゲノム免疫原性遺伝子を遺伝子改変することを含み、該少なくとも１つの遺伝子は、主要組織適合遺伝子複合体（MHC）クラスI分子、MHCクラスII分子、もしくはMHCクラスIとMHCクラスIIの分子の両方内のタンパク質をコードする、前記方法。
【請求項２】
前記少なくとも１つの遺伝子が、B2M、HLA-A、HLA-B、HLA-C、HLA-DRA、HLA-DRB1、HLA-DRB3、HLA-DRB4、HLA-DRB5、HLA-DPA1、HLA-DPA2、HLA-DQA1、またはHLA-DQB1遺伝子の１つ以上を含む、請求項1に記載の方法。
【請求項３】
前記少なくとも１つの遺伝子を遺伝子改変することが、前記少なくとも１つの遺伝子を変異させることを含む、請求項1に記載の方法。
【請求項４】
前記少なくとも１つの遺伝子を変異させることが、前記少なくとも１つの遺伝子またはその一部を欠失させることを含む、請求項3に記載の方法。
【請求項５】
BRCが、選択された腎細胞（SRC）である、請求項1に記載の方法。
【請求項６】
SRCが、SRC集団の中にある、請求項5に記載の方法。
【請求項７】
SRCが尿細管細胞である、請求項6に記載の方法。
【請求項８】
SRC集団が、
低酸素抵抗性およびイオジキサノール抵抗性細胞、
ヒアルロン酸合成酵素2を発現する細胞、
受容体を介したアルブミン輸送能力を有する細胞、
CK18を発現する細胞、若しくは
CK18及びGGT1を発現する細胞、
を含む、
請求項6に記載の方法。
【請求項９】
少なくとも１つの遺伝子を遺伝子改変することが、(i) BRCにおいて遺伝子編集タンパク質を発現させること；または(ii) BRCの細胞膜を横切って遺伝子編集タンパク質を送達することを含む、請求項1に記載の方法。
【請求項１０】
遺伝子編集タンパク質が、ジンクフィンガーヌクレアーゼ（ZFN）、転写活性化因子様エフェクターヌクレアーゼ（TALEN）、メガTAL、またはRNAガイド型エンドヌクレアーゼである、請求項9に記載の方法。
【請求項１１】
RNAガイド型エンドヌクレアーゼがCasタンパク質である、請求項10に記載の方法。
【請求項１２】
Casタンパク質がCas9タンパク質である、請求項10に記載の方法。
【請求項１３】
遺伝子編集タンパク質が：
トランスフェクトされたmRNAから発現されるか；
組換えタンパク質であって、ex vivoでgRNAと複合体を形成するか；又は
組換えタンパク質であって、ex vivoでgRNAと複合体を形成し、そのタンパク質/gRNA複合体は、トランスフェクション、リポフェクション、エレクトロポレーション、またはマイクロインジェクションによって細胞に送達される；
請求項10に記載の方法。
【請求項１４】
Casタンパク質がDNAベクターから発現される、請求項11に記載の方法。
【請求項１５】
Casタンパク質の発現が、細胞においてgRNAが発現されている期間の少なくとも一時期の間に誘導される、請求項14に記載の方法。
【請求項１６】
DNAベクターがゲノムに組み込まれず、エピソームベクター、又は人工染色体、又はトランスポゾンである、請求項14に記載の方法。
【請求項１７】
前記少なくとも１つの遺伝子を遺伝子改変することが、細胞表面におけるMHCクラスI又はMHCクラスII又はMHCクラスIとMHCクラスIIの量を減少させる、請求項1に記載の方法。
【請求項１８】
請求項1に記載の方法によって得られる、操作されたBRC集団。
【請求項１９】
患者において腎臓病を治療するための、請求項１８に記載の操作されたBRC集団。
【請求項２０】
a) 温度感受性の細胞安定化バイオマテリアル、および
b) BRC集団
を含む、注射可能製剤であって：
前記BRC集団は操作されたBRCを含有し、操作されたBRCは、主要組織適合遺伝子複合体（MHC）クラスI分子またはMHCクラスII分子の中に含まれるタンパク質をコードする遺伝子内に変異を含んでおり、
前記温度感受性の細胞安定化バイオマテリアルはハイドロゲルであって、該ハイドロゲルは、
(i) 約8℃以下において実質的に固体の状態を維持し、実質的に固体の状態とはゲル状態であり、
(ii) 約外気温以上では、実質的に液体の状態を維持し、且つ
(iii) 約8℃から約外気温以上の間、固体から液体への遷移状態をとる、
前記注射可能製剤。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
作物植物の果実成分の収量を改善するための方法であって、
前記方法は：
果実成分の収穫前に、処理レジメンに、植物材料を晒す工程であって、処理レジメンが、２８０ｎｍ−２９５ｎｍの範囲の少なくとも１つのＵＶ波長に補足された光、および、植物材料からの処理距離、ならびに、約３０ｍｍ−約１２０ｍｍの範囲の光源、１秒あたり約４０−６０ｍｍの範囲の移動光源の速度、約９０〜約２８０秒の範囲の光源タイミングサイクル、１日当たり約３８０−約５００のサイクルの範囲での１日当たりのサイクル数、約４４０ｎｍ−約４６０ｎｍの青い光の波長、約６４０ｎｍ−約６８０ｎｍの範囲の赤い光の波長、ならびに約５−約２０日の範囲の処理レジメンの日数の少なくとも１つを含む、工程を含み、ＵＶは別の波長の光と比較して、少なくとも５０％補足される、方法。
【請求項２】
少なくとも１つのＵＶ波長は、２８２ｎｍ、２８５ｎｍ、２８７ｎｍ、２９１ｎｍ、および２９２ｎｍの少なくとも１つでピークに達している、請求項１に記載の方法。
【請求項３】
植物材料はトマト、イチゴ、およびアサの少なくとも１つに由来する、請求項１に記載の方法。
【請求項４】
植物材料は匍匐茎、種子、苗、および植物の少なくとも１つである、請求項１に記載の方法。
【請求項５】
作物植物はバラ科の植物に由来する、請求項１に記載の方法。
【請求項６】
バラ科の植物はイチゴ属である、請求項５に記載の方法。
【請求項７】
改善された収量は、果物生重量、収穫された果物の数、ブリックス含有量、果物幅、果物長さ、葉サイズ、葉の表面積、乾燥重量、窒素含有量、シュート乾燥重量、シュート生重量、根乾燥重量、野菜発育、開花する部分、果実部分の収量、果実部分の重量、耐久性、および、種子発芽速度からなる群から選択される、請求項１に記載の方法。
【請求項８】
作物植物の果実成分の収量を改善するための方法であって、
前記方法は：
果物が収穫される少なくとも７週間前に、２８０ｎｍから２９０ｎｍまでの範囲の少なくとも１つのＵＶ波長に富化した光を、植物材料に照射する工程を含み、ＵＶ−Ｂは別の波長の光と比較して、少なくとも５０％補足される、方法。
【請求項９】
光は２８０ｎｍおよび２９０ｎｍの少なくとも１つのＵＶ波長に富化される、請求項８に記載の方法。
【請求項１０】
光は青い光と赤い光の少なくとも１つを含む、請求項８に記載の方法。
【請求項１１】
光は、少なくとも１日と少なくとも１４日の少なくとも１つの期間にわたって処理レジメンを使用して照射される、請求項８に記載の方法。
【請求項１２】
光は一日あたり合計で約１０時間照射される、請求項８に記載の方法。
【請求項１３】
植物材料はバラ科の植物に由来する、請求項８に記載の方法。
【請求項１４】
バラ科の植物はイチゴ属である、請求項１３に記載の方法。
【請求項１５】
植物材料は果実植物由来である、請求項８に記載の方法。
【請求項１６】
植物材料はトマト、イチゴ、およびアサの少なくとも１つに由来する、請求項８に記載の方法。
【請求項１７】
植物材料は、匍匐茎、種子、苗、および植物の少なくとも１つである、請求項８に記載の方法。
【請求項１８】
改善された収量は、果物生重量、収穫された果物の数、ブリックス含有量、果物幅、果物長さ、葉サイズ、葉の表面積、乾燥重量、窒素含有量、シュート乾燥重量、シュート生重量、根乾燥重量、野菜発育、開花する部分、果実部分の収量、果実部分の重量、耐久性、および、種子発芽速度からなる群から選択される、請求項８に記載の方法。
【請求項１９】
果物生重量、収穫された果物の数、または収量は非ＵＶ−Ｂ照射植物材料と比較して、少なくとも５％改善される、請求項１に記載の方法。
【請求項２０】
ＵＶ−Ｂ波長の放射照度は約４×１０−５Ｗｃｍ−２ｓ−１〜１．３×１０−４Ｗｃｍ−２ｓ−１の範囲である、請求項１に記載の方法。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
食用製品を着色するための少なくとも５０重量％のリン酸三カルシウムおよび少なくとも１重量％の分散剤を含む着色組成物を含むペットフード製品。
【請求項２】
前記リン酸三カルシウムの粒子の平均粒子径は５μｍ未満である、請求項１に記載のペットフード製品。
【請求項３】
前記分散剤は、ポリソルベート、ショ糖脂肪酸エステル、ポリグリセリン脂肪酸エステル、マルトデキストリン、加水分解ゼラチン、アラビアゴム、または加工デンプンからなる群より選択される、請求項１又は２に記載のペットフード製品。
【請求項４】
前記加工デンプンはｎＯＳＡデンプンである、請求項３に記載のペットフード製品。
【請求項５】
前記分散剤はポリソルベートである、請求項３に記載のペットフード製品。
【請求項６】
前記リン酸三カルシウムの量は少なくとも７５％である、請求項１〜５のいずれか１項に記載のペットフード製品。
【請求項７】
前記分散剤の量は少なくとも２％である、請求項１〜６のいずれか１項に記載のペットフード製品。
【請求項８】
前記分散剤の量は少なくとも５％である、請求項１〜６のいずれか１項に記載のペットフード製品。
【請求項９】
請求項１〜８のいずれか１項に記載のペットフード製品を含む缶詰ペットフード製品。
【請求項１０】
前記缶詰製品は熱処理されている、請求項９に記載の缶詰製品。
【請求項１１】
前記缶詰製品は１００℃超で熱処理されている、請求項１０に記載の缶詰製品。
【請求項１２】
前記缶詰製品は１２０℃超で熱処理されている、請求項１０に記載の缶詰製品。
【請求項１３】
前記製品のｐＨは９未満である、請求項９〜１２のいずれか１項に記載の缶詰製品。
【請求項１４】
前記製品のｐＨは８未満である、請求項１３に記載の缶詰製品。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
形状記憶合金ワイヤで作られたコアと、前記コアの少なくとも一部に適用されたまたは形成された電気絶縁材料で作られたコーティングとを含み、
前記コーティングには相変化材料（ＰＣＭ）粒子が分布し、
コーティング中に分散された相変化材料粒子の重量と、コーティングが適用されたまたは形成された形状記憶合金ワイヤ部分の重量との間の比が１から３０の間であることを特徴とする、アクチュエータアセンブリ。
【請求項２】
前記コーティングが、形状記憶合金ワイヤの長さの少なくとも８０％に適用されているまたは形成されている、請求項１に記載のアクチュエータアセンブリ。
【請求項３】
形状記憶合金ワイヤの直径が、０．１ｍｍから０．８ｍｍの間である、請求項１または２に記載のアクチュエータアセンブリ。
【請求項４】
コーティングの厚さが、０．１ｍｍから３ｍｍの間である、請求項１から３の何れか一項に記載のアクチュエータアセンブリ。
【請求項５】
形状記憶合金ワイヤが、Ｎｉ−Ｔｉ系合金で作られている、請求項１から４の何れか一項に記載のアクチュエータアセンブリ。
【請求項６】
前記コーティング材料が、プラスチックおよび熱可塑性ポリマー材料、熱硬化性ポリマー材料、樹脂、およびシリコーンから選択される、請求項１から５の何れか一項に記載のアクチュエータアセンブリ。
【請求項７】
前記相変化材料粒子が、有機または無機化合物、脂肪酸、エステル、塩、水和物またはワックス、好ましくはパラフィンワックスで作られている、請求項１から６の何れか一項に記載のアクチュエータアセンブリ。
【請求項８】
請求項１から７の何れか一項に記載の１つ以上のアクチュエータアセンブリを備える活性システム。
【請求項９】
前記１つ以上のアクチュエータアセンブリが、活性化パターンを提供するようにシステムに挿入されている、請求項８に記載の活性システム。
【請求項１０】
アクチュエータアセンブリの数が、活性システムの単位長さあたり２から１００の間である、請求項８に記載の活性システム。
【請求項１１】
前記活性システムが、活性織物である、請求項８から１０の何れか一項に記載の活性システム。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
（ａ）少なくとも１つの反応性バインダー；
（ｂ）少なくとも１つの硬化剤および／または促進剤；
（ｃ）少なくとも１つの熱活性化性発泡剤；および
（ｄ）少なくとも１つの軽量フィラー、
を含む組成物であって、閉じた外殻を有する少なくとも１つのガラスに富む火山岩の少なくとも１つの発泡粒子を前記軽量フィラーとして含有する組成物。
【請求項２】
前記少なくとも１つの反応性バインダーは、エポキシド、ゴム、過酸化物架橋性ポリマーまたは不飽和脂肪酸を含むトリグリセリド画分の群から選択されることを特徴とする、請求項１に記載の組成物。
【請求項３】
５〜５０重量％の、少なくとも１つのポリエン、特に、好ましくは分子量Ｍｗが２０，０００未満の液体ポリエン、好ましくはポリブタジエンを、前記反応性バインダーとして含有することを特徴とする、請求項１または２に記載の組成物。
【請求項４】
５〜５０重量％の、脂肪酸分布が少なくとも５重量％、特に少なくとも６０重量％の割合の１つ以上のΩ−３脂肪酸および／または１つ以上のΩ−６脂肪酸を有する少なくとも１つのトリグリセリド画分、特にアマニ油を前記反応性バインダーとして含有することを特徴とする、請求項１から３のいずれか一項に記載の組成物。
【請求項５】
０．２５〜１５重量％の、少なくとも１つの硬化剤および／または促進剤、特に硫黄を含有することを特徴とする、請求項１から４のいずれか一項に記載の組成物。
【請求項６】
０．１〜１５重量％の少なくとも１つの化学発泡剤を含有することを特徴とする、請求項１から５のいずれか一項に記載の組成物。
【請求項７】
１〜３５重量％の、閉じた外殻を有する少なくとも１つのガラスに富む火山岩の少なくとも１つの発泡粒子、好ましくは閉じた外殻を有する少なくとも１つの発泡パーライトを含有することを特徴とする、請求項１から６のいずれか一項に記載の組成物。
【請求項８】
閉じた外殻を有する少なくとも１つのガラスに富む火山岩の前記発泡粒子は、１，０００μｍ未満の、特に７５０μｍ未満の、好ましくは５００μｍ未満の、特に好ましくは４００μｍ未満の最大粒径を有すること、および／または５００μｍ未満の、特に１０〜５００μｍの、特に２０〜２００μｍの、好ましくは３０〜１２５μｍの重量平均粒径ｄ５０を有することを特徴とする、請求項１から７のいずれか一項に記載の組成物。
【請求項９】
軽量フィラーとして作用する前記発泡粒子は、５００ｋｇ／ｍ３未満の、特に１０〜５００ｋｇ／ｍ３の、好ましくは１００〜４００ｋｇ／ｍ３の、より好ましくは２００〜２７０ｋｇ／ｍ３の嵩密度を有することを特徴とする、請求項１から８のいずれか一項に記載の組成物。
【請求項１０】
薄肉構造、特に管状構造を有する部品を剛化および／または補強する方法であり、請求項１から９のいずれか一項に記載の組成物を、７０℃未満の温度で、特に３ｂａｒ超のポンプ圧力で、補強される前記構造の表面に適用し、前記組成物を後の時点に１３０℃超の温度で硬化させる方法。
【請求項１１】
前記組成物を４０℃〜６０℃の温度範囲で適用することを特徴とする、請求項１０に記載の剛化および／または補強する方法。
【請求項１２】
前記組成物を６ｂａｒ〜１８０ｂａｒの適用圧力で適用することを特徴とする、請求項１０または１１に記載の剛化および／または補強する方法。
【請求項１３】
請求項１から９のいずれか一項に記載の組成物を使用して剛化および／または補強された部品、あるいは請求項１０から１２のいずれか一項に記載の方法に従って製造された部品。
【請求項１４】
薄肉構造を有する部品を剛化および／または補強するための請求項１から９のいずれか一項に記載の組成物の使用。
【誤訳訂正書】
【提出日】令和3年4月5日(2021.4.5)
【誤訳訂正１】
【訂正対象書類名】特許請求の範囲
【訂正対象項目名】全文
【訂正方法】変更
【訂正の内容】
【特許請求の範囲】
【請求項１】
挿入端部（６）における衝撃面（７）と、
内部に搬送通路（３５）が設けられている中空シャンク（４）と、
前端部（１２）に３つ以上の刃面（１４）及び１つ以上の吸入開口（３）を有し、該吸入開口（３）を前記搬送通路（３５）に接続する吸入通路（３０）を内部に有するドリルヘッド（２）と、
を備える岩石のチゼル加工用のドリルビット（１）において、
前記ドリルヘッド（２）は、前記前端部（１２）とは反対側に位置する下面（１９）を有する基部（１３）であって、前記下面（１９）において前記中空シャンク（４）に結合される基部（１３）を含み、
前記ドリルヘッド（２）の前記刃面（１４）は、前記基部（１３）に埋め込まれ、前記基部（１３）に対し衝撃方向（９）に突出しており、
前記ドリルヘッド（２）の前記前端部（１２）は、前記衝撃方向（９）に面する前記刃面（１４）の前面（１６）と前記基部（１３）の前面（１７）とから構成されており、
前記吸入開口（３）は、前記基部（１３）の前面（１７）であって、隣接する前記刃面（１４）の間の各領域に配置されており、
前記吸入開口（３）は非円形の横断面を有する、ことを特徴とするドリルビット（１）。
【請求項２】
前記吸入開口は三角形である、請求項１記載のドリルビット（１）。
【請求項３】
前記吸入開口（３）の表面積は、前記吸入開口に刻まれる最大円の表面積よりも少なくとも３０％大きい、請求項１又は２記載のドリルビット（１）。
【請求項４】
前記吸入開口（３）は、前記ドリルヘッド（２）の前端部（１６）の１０％以上を占める、請求項１から３までのいずれか１項記載のドリルビット（１）。
【請求項５】
前記吸入開口（３）、前記はドリルヘッド（２）の前端部（１６）の２５％未満を占める、請求項１から４までのいずれか１項記載のドリルビット（１）。
【請求項６】
前記刃面（１４）は、すくい面（２３）及び逃げ面（２４）を有しており、
前記すくい面（２３）及び前記逃げ面（２４）は両方とも前記衝撃方向（９）に面しており、チゼル端（２２）に沿って互いに接触している、請求項１から５までのいずれか１項記載のドリルビット（１）。
【請求項７】
前記刃面（１４）は、焼結された炭化タングステンから製造されている、請求項１から６までのいずれか１項記載のドリルビット（１）。
【請求項８】
挿入端部（６）における衝撃面（７）と、
内部に搬送通路（３５）が設けられている中空シャンク（４）と、
前端部（１２）に３つ以上の刃面（１４）及び１つ以上の吸入開口（３）を有し、該吸入開口（３）を前記搬送通路（３５）に接続する吸入通路（３０）を内部に有し、前記吸入開口（３）は非円形の横断面を有するドリルヘッド（２）と、
を備える岩石のチゼル加工用のドリルビット（１）の製造方法において、
前記ドリルヘッド（２）は、粉末層及び接着剤を堆積することによって前記ドリルヘッド（２）の形状に対応するブランクを製造し、その後前記ブランクを焼結することによって形成される、ドリルビット（１）の製造方法。
【誤訳訂正２】
【訂正対象書類名】明細書
【訂正対象項目名】００３０
【訂正方法】変更
【訂正の内容】
【００３０】
薄い粉末層は、炭化タングステンおよび金属バインダーを含有する懸濁液を噴霧することによって製造される。接着剤は、計画された方法で粉末層上にプリントされる。接着剤は、ドリルヘッド２を通る横断面を再現する。粉末層および接着剤の堆積は、ドリルヘッド２のブランクが複製されるのに必要な回数だけ繰り返される。特に吸入通路３０内の過剰な粉末は、水によって除去することができる。水は、接着剤によって接合されていない層の間に浸透し、それらを除去する。得られたブランクは、ドリルヘッド２の形状に対応する。未焼結体（green body）は焼結することができる。
【誤訳訂正３】
【訂正対象書類名】明細書
【訂正対象項目名】００３３
【訂正方法】変更
【訂正の内容】
【００３３】
鉄含有の基部１３の下側部分２１は、同様に、三次元成形によって製造することができる。例えば、未焼結体をプリントし、続いて焼結することも同様に可能である。さらに、鋼体の製造のために、レーザー肉盛溶接、選択的レーザー溶融（ＳＬＭ）または選択的レーザー焼結（ＳＬＳ）のようなプロセスも可能である。
【手続補正書】
【提出日】令和3年5月21日(2021.5.21)
【手続補正１】
【補正対象書類名】明細書
【補正対象項目名】００１１
【補正方法】変更
【補正の内容】
【００１１】
今日、水電解槽は約６５−７０％のスタック効率（高位発熱量（又は高発熱量；higher heating value）、ＨＨＶ）で稼働され、約６５−７０％のスタック効率は１ｋｇのＨ２につき約５５ｋＷｈの電気を必要とする。５５ｋＷｈの内、約５０ｋＷｈが電解プロセスによって使用され、５ｋＷｈがプラントのバランス（循環及び給水ポンプ、熱交換、イオン交換、ガス／水の分離、バルブ及びセンサー）によって使用される。水電解槽システムの多くは、電気コストは生成される水素のコストの８０％まで達し、水電解槽のスタック効率の増大は全体の主要な電気エネルギー消費及び水素の総コストの両方を改善する。
【手続補正２】
【補正対象書類名】明細書
【補正対象項目名】００１３
【補正方法】変更
【補正の内容】
【００１３】
本発明の目的は水電解による水素の生成のための改良された方法及びシステムを提供することである。エネルギー消費を減じ、結果として生成される水素のコストを減じることがさらなる狙いである。本発明の他の目的は、電解槽内での酸素及び水素の可燃性又は爆発性混合物の形成を回避することである。
【手続補正３】
【補正対象書類名】明細書
【補正対象項目名】００３４
【補正方法】変更
【補正の内容】
【００３４】
カソード金属製バイポーラ・プレート（１ｂ）もまた高腐食耐性及び高電気伝導性を有する金属材料から成っている。カソード・バイポーラ・プレート（１ｂ）には流れ場パターン（９）が設計されているが、アノード・バイポーラ・プレート（１ａ）の流れ場パターン（６）と必ずしも同じではなく、また、カソード金属製バイポーラ・プレート（１ｂ）には、電解槽デバイスのアクティブ・エリアに沿って最適な水及びガスの分配のための、流れ場パターン（９）に対応する入口（１０）及び出口（１１）流れ分配マニホールドが設計されているが、アノード側における（７）及び（８）は必ずしも同じではない。
【手続補正４】
【補正対象書類名】特許請求の範囲
【補正対象項目名】全文
【補正方法】変更
【補正の内容】
【特許請求の範囲】
【請求項１】
高分子電解質膜（ＰＥＭ）付水電解槽セル内で水素を生成するための方法であって、該方法は、
直流電流を水電解槽セルに印加すること、
カソード室から水分子を、高分子電解質膜を通じてアノード室中へ拡散させること、
アノード触媒層における水分子をプロトン、酸素、及び電子へと酸化させること、
プロトンを、高分子電解質膜を通じてカソード室中へと移動させること、
カソード触媒層におけるプロトンを還元し水素を生成すること、
液体水をカソード室へ供給すること、及び
加湿空気をアノード室へ供給すること
を含み、前記高分子電解質膜は５０μｍ未満の厚さを有する、
方法。
【請求項２】
加湿空気が電解槽の公称動作温度において７５％ＲＨを超える相対湿度（ＲＨ）を有する、請求項１に記載の方法。
【請求項３】
加湿空気が過飽和空気である、請求項１に記載の方法。
【請求項４】
稼働中における前記アノード室を、大気圧を僅かに超える圧力で稼働させ、カソード室をアノード室の圧力より０．５ｂａｒ〜３５ｂａｒ高い圧力で稼働させる、請求項１〜３のいずれかに記載の方法。
【請求項５】
流れ分配マニホールドを通じて、アノード・バイポーラ・プレートにおける流れ場パターンを介して加湿空気を供給する、請求項１〜４のいずれかに記載の方法。
【請求項６】
高分子電解質膜が５〜４９μｍの範囲内の厚さを有する、請求項１〜５のいずれかに記載の方法。
【請求項７】
水素を生成するための高分子電解質膜（ＰＥＭ）付水電解槽セルであって、
アノード・バイポーラ・プレート、アノード金属製多孔質輸送層、及びアノード触媒層を有して成るアノード室、
カソード・バイポーラ・プレート、カソード金属製多孔質輸送層、及びカソード触媒層を有して成るカソード室を有して成り、
前記カソード室は入口及び出口流れ分配マニホールドの第１セットを通してイオン交換液体水が供給されるようになっており、前記カソード・バイポーラ・プレートには第１流れ場パターンが設計されており、
前記アノード室は入口及び出口流れ分配マニホールドの第２セットを通して加湿空気が供給されるようになっており、前記アノード・バイポーラ・エリアには第２流れ場パターンが設計されており、
前記アノード触媒層及び前記カソード触媒層が、高分子交換膜のどちらか一方の側に覆われ、高分子電解質膜は５０μｍ未満の厚さを有する、
高分子電解質膜（ＰＥＭ）付水電解槽セル。
【請求項８】
高分子電解質膜が５〜４９μｍの範囲内の厚さを有する、請求項７に記載のＰＥＭ電解槽セル。
【請求項９】
高分子電解質膜が再結合触媒として白金又はパラジウムをさらに含んで成る、請求項７又は８に記載のＰＥＭ電解槽セル。
【請求項１０】
直列に接続された請求項７〜９のいずれかに記載の高分子電解質膜付水電解槽セルを複数有して成る、ＰＥＭ水電解槽スタック。
【請求項１１】
ＰＥＭ水電解槽システムであって、
水及び酸素の管理システム、
水素ガスの管理システム、
水インプットシステム、
取り付け及びパッケージングキャビネットサブシステム、
通気システム、
パワーエレクトロニクス及び電源、
システムコントロール及び計器を有して成り、
請求項１０に記載の高分子電解質膜付水電解槽スタック、並びに
加湿空気の供給及び加湿システムを更に有して成る、
システム。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
入力部（２０）と、
処理部（３０）と、
出力部（４０）と、
を含み、
前記入力部は、前記処理部に環境の１枚以上の画像を提供するように構成され、前記処理部は、前記１枚以上の画像を分析して、植生管理技術の複数の動作モードから前記環境の少なくとも第１部分での雑草防除に使用される、前記植生管理技術の１つ以上の動作モードを決定するように構成され、前記出力部は、前記植生管理技術を前記１つ以上の動作モードで作動させるのに使うことができる情報を出力するように構成される、雑草防除装置（１０）。
【請求項２】
１つ以上のカメラ（１１０）と、
請求項１に記載の雑草防除装置（１０）と、
植生管理技術（１２０）と、
を含み、
前記１つ以上のカメラは、前記環境の前記１枚以上の画像を取得するように構成され、前記植生管理技術は車両（１３０）に搭載され、前記植生管理技術は複数の動作モードで動作するように構成され、
前記装置は、前記植生管理技術を前記環境の前記少なくとも第１部分に対して前記１つ以上の動作モードで作動させるように構成される、
雑草防除システム（１００）。
【請求項３】
（ａ）処理部に環境の１枚以上の画像を提供すること（２１０）と、
（ｃ）前記処理部により前記１枚以上の画像を分析して、植生管理技術の複数の動作モードから、前記環境の少なくとも第１部分での雑草防除に使用される前記植生管理技術の１つ以上の動作モードを決定すること（２２０）と、
（ｅ）出力部により前記植生管理技術を前記１つ以上の動作モードで作動させるのに使うことができる情報を出力すること（２３０）と、
を含む雑草防除方法（２００）。
【請求項４】
プロセッサにより実行された場合に請求項３に記載の方法を実行するように構成される、請求項１に記載の装置および／または請求項２に記載のシステムを制御するためのコンピュータプログラムエレメント。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
入力部（２０）と、
処理部（３０）と、
出力部（４０）と、
を含み、
前記入力部は、前記処理部に環境の１枚以上の画像を提供するように構成され、
前記処理部は、前記１枚以上の画像を分析して、雑草防除のために１つ以上のマルチを１つ以上の場所へ散布するように構成される１つ以上のマルチ散布ユニットを作動させる前記環境内の前記１つ以上の場所を判断するように構成され、
前記出力部は、前記１つ以上のマルチ散布ユニットを作動させるのに使うことができる情報を出力するように構成される、雑草防除装置（１０）。
【請求項２】
１つ以上のカメラ（１１０）と、
請求項１に記載の雑草防除装置（１０）と、
１つ以上のマルチ散布ユニット（１２０）と、
を含み、
前記１つ以上のカメラは、前記環境の前記１枚以上の画像を取得するように構成され、
前記１つ以上のマルチ散布ユニットは、車両（１３０）に搭載され、
前記装置は、前記１つ以上のマルチ散布ユニットを作動させて前記１つ以上のマルチを雑草防除のために前記１つ以上の場所へ散布するように構成される、
雑草防除システム（１００）。
【請求項３】
ａ）処理部に環境の１枚以上の画像を提供すること（２１０）と、
ｂ）前記処理部により前記１枚以上の画像を分析して、雑草防除のために１つ以上のマルチを１つ以上の場所へ散布するように構成される１つ以上のマルチ散布ユニットを作動させる前記環境内の前記１つ以上の場所を判断すること（２２０）と、
ｄ）出力部により前記１つ以上のマルチ散布ユニットを作動させるのに使うことができる情報を出力することと、
を含む雑草防除方法（２００）。
【請求項４】
プロセッサにより実行された場合に請求項３に記載の方法を実行するように構成される、請求項１に記載の装置および／または請求項２に記載のシステムを制御するためのコンピュータプログラムエレメント。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
入力部（２０）と、
処理部（３０）と、
出力部（４０）と、
を含み、
前記入力部は、前記処理部に環境の１枚以上の画像を提供するように構成され、
前記処理部は、前記１枚以上の画像を分析して、複数の植生管理技術から前記環境の少なくとも第１部分での雑草防除に使用される１つ以上の植生管理技術を決定するように構成され、
前記出力部は、前記１つ以上の植生管理技術を作動させるのに使うことができる情報を出力するように構成される、
雑草防除装置（１０）。
【請求項２】
１つ以上のカメラ（１１０）と、
請求項１に記載の雑草防除装置（１０）と、
１つ以上の植生管理技術（１２０）と、
を含み、
前記１つ以上のカメラは、前記環境の前記１枚以上の画像を取得するように構成され、
前記１つ以上の植生管理技術は、車両（１３０）に搭載され、
前記装置は、前記１つ以上の植生管理技術を前記環境の前記少なくとも第１部分に対して作動させるように構成される、
雑草防除システム（１００）。
【請求項３】
（ａ）処理部に環境の１枚以上の画像を提供すること（２１０）と、
（ｃ）前記処理部により前記１枚以上の画像を分析して、複数の植生管理技術から、前記環境の少なくとも第１部分での雑草防除に使用される１つ以上の植生管理技術を決定すること（２２０）と、
（ｅ）出力部により前記１つ以上の植生管理技術を作動させるのに使うことができる情報を出力すること（２３０）と、
を含む雑草防除方法（２００）。
【請求項４】
プロセッサにより実行された場合に請求項３に記載の方法を実行するように構成される、請求項１に記載の装置および／または請求項２に記載のシステムを制御するためのコンピュータプログラムエレメント。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
車両のための雑草防除装置（１０）であって、
入力部（２０）と、
処理部（３０）と、
１つ以上の化学薬品散布ユニット（４０）と、
少なくとも１つの高電圧電源（５０）と、
を含み、
前記入力部は、前記処理部に環境の１枚以上の画像を提供するよう構成され、
前記処理部は、前記１つ以上の化学薬品散布ユニットを起動するために前記１枚以上の画像を分析するよう構成され、
前記１つ以上の化学薬品散布ユニットは、液状雑草防除化学薬品を霧化するよう構成され、
前記１つ以上の化学薬品散布ユニットは、０ボルト電位に対して高電圧に維持されるよう構成される少なくとも１つの部分（４２）を含み、
前記少なくとも１つの高電圧電源および前記１つ以上の化学薬品散布ユニットは、前記霧化された液状雑草防除化学薬品が帯電するように、前記１つ以上の化学薬品散布ユニットの前記少なくとも１つの部分を０ボルト電位に対して少なくとも１つの高電圧に維持するよう構成される、
雑草防除装置。
【請求項２】
雑草防除システム（１００）であって、
１つ以上のカメラ（１１０）と、
車両（１２０）に搭載される請求項１に記載の雑草防除装置（１０）と、
１つ以上の液状雑草防除化学薬品を収容するよう構成され、前記車両に搭載される１つ以上の貯蔵容器（１３０）とを含み、
前記１つ以上のカメラは、前記１枚以上の画像を取得するよう構成され、
前記１つ以上の化学薬品散布ユニットおよび前記１つ以上の貯蔵容器は、互いに流体接続するよう構成され、
前記雑草防除装置は、前記１つ以上の液状雑草防除化学薬品を霧化、帯電させ、散布する、
雑草防除システム。
【請求項３】
車両のための雑草防除方法（２００）であって、
（ａ）処理部に環境の１枚以上の画像を提供すること（２１０）と、
（ｃ）１つ以上の化学薬品散布ユニットを起動するために、前記処理部により前記１枚以上の画像を分析すること（２２０）と、
（ｆ）前記１つ以上の化学薬品散布ユニットにより、液状雑草防除化学薬品を霧化して帯電させること（２３０）と、
を含み、
前記１つ以上の化学薬品散布ユニットは、０ボルト電位に対して高電圧に維持されるよう構成される少なくとも１つの部分を含み、前記少なくとも１つの高電圧電源および前記１つ以上の化学薬品散布ユニットは、前記霧化された液状雑草防除化学薬品が帯電するように、前記１つ以上の化学薬品散布ユニットの前記少なくとも１つの部分を０ボルト電位に対して少なくとも１つの高電圧に維持するよう構成される、
雑草防除方法。
【請求項４】
プロセッサにより実行された場合に請求項３に記載の方法を実行するように構成される、請求項１に記載の装置および／または請求項２に記載のシステムを制御するためのコンピュータプログラムエレメント。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
水素を生成するための電解セルであって、
前記セルが、電解質区画と；前記電解質区画に配置され、アルカリ金属水酸化物またはアルカリ土類金属水酸化物と、遷移金属イオンまたはｐブロック金属イオンとを含むアルカリ水溶液を含む電解質と；前記電解質中に少なくとも部分的に配置された第１および離間した第２の電極とを含み、
前記セルが、前記第１および第２の電極の間に電圧を印加するように構成された電源を含み、
（ａ）前記電源が、直流を前記電極に供給するように構成され、
装置が、前記電極を流れる前記電流を監視し、前記電流が所定のレベルを下回ったことを検出する場合に前記電流の方向を切り替えるように構成された制御システムを備える、または
（ｂ）前記電源が、前記電極に交流または振動電流を印加するように構成されている、電解セル。
【請求項２】
前記第１および第２の電極が、グラファイト、クロニウム、ニッケル、亜鉛、カドミウム、銅、スズ、鉛、ロジウム、白金、金、パラジウム、イリジウム、オスミウム、レニウム、ルテニウム、ゲルマニウム、ベリリウム、銀、真鍮、および／または青銅を含み、
前記第１および第２の電極が、グラファイトおよび／または亜鉛を含む、請求項１に記載の電解セル。
【請求項３】
前記電極の少なくとも１つが、前記電解質中の前記遷移金属イオンまたはｐブロック金属イオンと同じ金属である遷移金属またはｐブロック金属の少なくともひとつの層を含む、請求項１または２に記載の電解セル。
【請求項４】
前記アルカリ金属水酸化物またはアルカリ土類金属水酸化物が、水酸化カリウム、水酸化ナトリウム、水酸化バリウム、水酸化セシウム、水酸化ストロンチウム、水酸化カルシウム、水酸化リチウム、および水酸化ルビジウムからなる群から選択される、および／または
前記水酸化物濃度と前記遷移金属イオンもしくはｐブロック金属イオン濃度との比が、２：１〜５０：１、３：１〜４０：１、４：１〜３０：１、５：１〜２５：１、もしくは１０：１〜２０：１である、請求項１〜３のいずれか一項に記載の電解セル。
【請求項５】
前記アルカリ水溶液が、水酸化ナトリウムを含み、水酸化物濃度と前記遷移金属イオンもしくはｐブロック金属イオン濃度との比が、１０：１〜１５：１である、または
前記アルカリ水溶液が、水酸化カリウムを含み、水酸化物濃度と前記遷移金属イオンもしくはｐブロック金属イオン濃度との比が、１５：１〜２０：１である、請求項１〜４のいずれか一項に記載の電解セル。
【請求項６】
２０℃での前記アルカリ水溶液のｐＨが、少なくとも９、少なくとも１０、少なくとも１１、もしくは少なくとも１１．５である、および／または
前記電解液中の前記遷移金属イオンまたはｐブロック金属イオンの濃度が、０．０１Ｍ〜１．２Ｍ、０．０５Ｍ〜１Ｍ、０．１Ｍ〜０．８Ｍ、０．１５Ｍ〜０．６Ｍ、もしくは０．２Ｍ〜０．４Ｍである、請求項１〜５のいずれか一項に記載の電解セル。
【請求項７】
前記遷移金属イオンまたはｐブロック金属イオンが、亜鉛イオン、銅イオン、鉄イオン、ニッケルイオン、コバルトイオン、クロニウムイオン、カドミウムイオン、バナジウムイオン、チタニウムイオン、イットリウムイオン、ジルコニウムイオン、スカンジウムイオン、アルミニウムイオン、スズイオン、および／または鉛イオンを含む、請求項１〜６のいずれか一項に記載の電解セル。
【請求項８】
前記電解質が、亜鉛酸ナトリウムを含み、前記亜鉛イオンの濃度が、０．０１Ｍ〜０．６Ｍ、０．１Ｍ〜０．４Ｍ、０．１５Ｍ〜０．３Ｍ、もしくは０．２Ｍ〜０．２５Ｍである、または
前記電解質が、亜鉛酸カリウムを含み、前記亜鉛イオンの濃度が、０．０１Ｍ〜１．２Ｍ、０．１Ｍ〜０．６Ｍ、０．２Ｍ〜０．５Ｍ、もしくは０．２５Ｍ〜０．４５Ｍである、請求項１〜７のいずれか１項に記載の電解セル。
【請求項９】
前記電源が、１Ｖ〜６Ｖ、１．５Ｖ〜３Ｖ、または２〜２．５Ｖの電圧を印加するように構成されている、請求項１〜８のいずれか一項に記載の電解セル。
【請求項１０】
水素を生成および貯蔵するための装置であって、請求項１〜９のいずれか一項に記載の電解セルと、水素ガス貯蔵用チャンバと、前記セルから前記チャンバへ水素ガスを供給するように構成された導管と、を備える、装置。
【請求項１１】
前記チャンバが、
−第１のガスを含む第１の部分と、
−第２のガスを含む第２の部分と、
−液体と、
を含み、前記チャンバは、前記液体が前記第１の部分と前記第２の部分との間を流れ、前記第１の部分の前記第１のガスが前記第２の部分の前記第２のガスと交換するのを防止するように構成されている、請求項１０に記載の装置。
【請求項１２】
前記チャンバの前記第１の部分が、弁を備える排気口含み、
前記弁が、背圧調整弁を備える、請求項１１に記載の装置。
【請求項１３】
電極間に電圧を印加することを含む、水素を生成する方法であって、
前記電極が、カソードおよび離間したアノードを含み、アルカリ金属水酸化物またはアルカリ土類金属水酸化物と、遷移金属イオンまたはｐブロック金属イオンとを含むアルカリ水溶液を含む電解質中に少なくとも部分的に配置され、
前記アノードが、遷移金属またはｐブロック金属の少なくともひとつの層を含み、
前記アノードの前記遷移金属またはｐブロック金属が、前記電解質中の前記遷移金属イオンまたはｐブロック金属イオンと同じ金属であり、
所定の期間後に電流の向きを変えて電極を切り替えること、または、水素発生量および／もしくは電流を監視し、水素発生量および／もしくは電流の低下が見られた場合に電極を切り替えることを含む、水素を生成する方法。
【請求項１４】
前記方法が、
−前記電極間に電圧を印加するステップであって、前記電極が、前記電解質中に少なくとも部分的に配置されることにより、前記カソード上に前記遷移金属またはｐブロック金属の層が形成される、ステップと、
−前記電極を切り替えて、前記遷移金属またはｐブロック金属の前記層を含むアノードを提供するステップと、
の主要なステップを含む、請求項１３に記載の方法。
【請求項１５】
前記方法が、前記電解質に水を添加して、その中に溶解した前記遷移金属イオンまたはｐブロック金属イオンの濃度を維持することを含む、請求項１３または１４に記載の方法。